(57)【要約】【課題】  機種、メーカーが異なる電子製品を一台のリモコン装置で調整可能であるとともに、調整作業を効率的に行えるようにする。【解決手段】  リモコン装置１は、通常モードキー３Ａ，３Ｂ、特定モードキー４Ａ〜４Ｄ、ジョイスティック型の調整レバー５を備える。通常モードキー３Ａは番号付けされた複数項目の調整モードを有し、調整レバー５を上下方向に倒すことによって、昇順又は降順に切り換わる。特定モードキー４Ａ〜４Ｄは、予め特定の調整モードに割り当てられる。調整モードを選択する場合、調整レバー５を上下方向に倒か特定モードキー４Ａ〜４Ｄで直接、調整モードを選択する。この後、調整レバー５を左右方向に倒すことによって、調整値が増減して電子機器の調整が成される。【選択図】      図１
2005295005.tif 000002
【特許請求の範囲】
【請求項１】
調整対象の電子機器の制御プログラムを記憶するとともに、前記電子機器の各種調整をキー操作によって実行するためのキー入力手段と、このキー入力手段に割り当てられた制御プログラムと対応する制御信号を生成して出力する制御部とを備えたリモコン装置において、前記キー入力手段は、複数ある調整モードのうち一つの調整モードを設定する通常モードキーと、予め設定された複数の調整モードに割り当てられた複数の特定モードキーを備えるとともに、上下左右の四方向に可倒可能なジョイスティック型の調整レバーを設け、この調整レバーによって、前記通常モードキーで選択された調整モードを順次、切り換えて複数ある調整モードから一つの調整モードを選択する選択操作と、選択した調整モードにおける前記電子機器の調整値の可変操作とを可能としたことを特徴とするリモコン装置。
【請求項２】
複数ある調整モードから一つの調整モードを選択した状態で所定時間、前記調整レバーからの信号が無い場合、次の調整モードへと自動的に切り換えるように構成したことを特徴とする請求項１記載のリモコン装置。
【請求項３】
前記制御プログラムを記憶した外部記憶装置を備え、この外部記憶装置が調整対象の機種又はメーカーに応じて変更可能であることを特徴とする請求項１又は２記載のリモコン装置。
【請求項４】
調整対象の機種又はメーカーに応じた制御プログラムを記憶した前記外部記憶装置を複数、前記リモコン装置に組み込むとともに、これら外部記憶装置を調整対象の機種又はメーカーに応じて切り換える切換手段を設けたことを特徴とする請求項３記載のリモコン装置。
【発明の詳細な説明】
【技術分野】
【０００１】
本発明は、リモコン装置、特に、テレビジョン受像機、ＤＶＤ、ＶＣＲなど各種電子機器の調整値を変化させて表示位置や輝度や色合などの各種の調整を行うリモコン装置に関する。
【背景技術】
【０００２】
一般に、電子機器は、工場出荷する際、各種の動作チェックを行う。例えば、テレビジョン受像機においては、表示パターンの輝度や色合いあるいは表示位置等を調整するようにしている。従来このような調整は、調整用のリモコン装置を操作し、作業者が調整リモコン装置を手動操作して対応する調整モードを選択した後、調整対象の電子製品の調整値を可変していた。
【０００３】
このようなリモコン装置として特許文献１には、機器専用のリモコン送信機の信号を、使用者の好きな文字・記号で登録させ、表示部でジョイスティックによって文字等をスクロールさせて確認し、決定・送信することで、対象機器を操作できるように構成したリモコンシステムが開示されている。
【０００４】
【特許文献１】特開２００２−２２３４８９号公報
【発明の開示】
【発明が解決しようとする課題】
【０００５】
特許文献１のリモコンシステムは、選択項目に対応した文字や記号など使用者が認識しやすい表示を確認しながら、ジョイスティックを用いて選択項目をスクロールさせることによって、選択項目を順次切り換え操作できるようになっているが、前述したよう動作チェックや調整などを行うリモコン装置においては、異なる複数種の電子製品を１台の装置の調整する場合、調整項目が多種多様に渡るばかりでなく、メーカーが異なる場合、送信コードも異なることから、その機種やメーカーに応じた制御プログラムを新たに書き込むとなると、データ量も増えるばかりでなく、ジョイスティックを用いて複数ある調整モードから一つの調整モードを選択する場合、調整対象の調整モードを決定するのに時間が掛かかり効率的な調整作業が行えない、という課題を有していた。
【０００６】
本発明は、上記課題に鑑みてなされたもので、機種やメーカーが異なる複数種の電子機器を一台のリモコン装置により調整可能であるとともに、効率的に調整対象の調整モードを選択することができるリモコン装置を提供することを目的とする。
【課題を解決するための手段】
【０００７】
本発明の請求項１のリモコン装置は、調整対象の電子機器の制御プログラムを記憶するとともに、前記電子機器の各種調整をキー操作によって実行するためのキー入力手段と、このキー入力手段に割り当てられた制御プログラムと対応する制御信号を生成して出力する制御部とを備えたリモコン装置において、前記キー入力手段は、複数ある調整モードのうち一つの調整モードを設定する通常モードキーと、予め設定された複数の調整モードに割り当てられた複数の特定モードキーを備えるとともに、上下左右の四方向に可倒可能なジョイスティック型の調整レバーを設け、この調整レバーによって、前記通常モードキーで選択された調整モードを順次、切り換えて複数ある調整モードから一つの調整モードを選択する選択操作と、選択した調整モードにおける前記電子機器の調整値の可変操作とを可能としたことを特徴とする。
【０００８】
請求項１の構成により、調整モードを選択する際、調整レバーを上方向に操作することによって、例えば番号付けられた調整モードが昇順に切り換わり、下方向に操作することによって降順に切り換わる。また、特定の調整モードに割り当てられた特定モードキーを操作すれば直接、特定の調整モードが選択される。調整モードを選択した状態において、調整レバーを左右方向に操作することで制御手段から対象電子製品に制御信号が出力され、左方向に操作すれば調整値が減少し、右方向に操作すれば調整値が増加される。これにより対象の電子機器の調整が成される。
【０００９】
本発明の請求項２のリモコン装置は、請求項１記載のリモコン装置において、複数ある調整モードから一つの調整モードを選択した状態で所定時間、前記調整レバーからの信号が無い場合、次の調整モードへと自動的に切り換えるように構成したことを特徴とする。
【００１０】
請求項２の構成により、調整モードを選択する際、所定時間、調整レバーからの信号が無い場合、次の調整モードへと自動的に切り換わる。
【００１１】
本発明の請求項３のリモコン装置は、請求項１又は２記載のリモコン装置において、前記制御プログラムを記憶した外部記憶装置を備え、この外部記憶装置が調整対象の機種又はメーカーに応じて変更可能であることを特徴とする。
【００１２】
請求項３の構成により、電子機器を調整する際、その調整対象の機種やメーカーに応じた制御プログラムを変更することで、機種やメーカーが異なる電子機器の調整が一台リモコン装置で可能となる。
【００１３】
本発明の請求項４のリモコン装置は、請求項３記載のリモコン装置において、調整対象の機種又はメーカーに応じた制御プログラムを記憶した前記外部記憶装置を複数、前記リモコン装置に組み込むとともに、これら外部記憶装置を調整対象の機種又はメーカーに応じて切り換える切換手段を設けたことを特徴とする。
【００１４】
請求項４の構成により、外部記憶装置を切換手段によって調整対象の機種又はメーカーに対応させて切り換えることによって、機種やメーカーが異なる電子機器の調整が一台リモコン装置で可能となる。
【発明の効果】
【００１５】
本発明の請求項１のリモコン装置によれば、調整対象の電子機器の制御プログラムを記憶するとともに、前記電子機器の各種調整をキー操作によって実行するためのキー入力手段と、このキー入力手段に割り当てられた制御プログラムと対応する制御信号を生成して出力する制御部とを備えたリモコン装置において、前記キー入力手段は、複数ある調整モードのうち一つの調整モードを設定する通常モードキーと、予め設定された複数の調整モードに割り当てられた複数の特定モードキーを備えるとともに、上下左右の四方向に可倒可能なジョイスティック型の調整レバーを設け、この調整レバーによって、前記通常モードキーで選択された調整モードを順次、切り換えて複数ある調整モードから一つの調整モードを選択する選択操作と、選択した調整モードにおける前記電子機器の調整値の可変操作とを可能としたものであるから、調整レバーにより、複数ある調整モードの選択操作と、調整値の変更操作が可能となり、多項目の調整モードを選択する際、調整レバー又は特定モードキーによって簡単に選択でき、特に、例えば、使用頻度の高い調整モードを特定モードキーに割り当てれば、直接、その調整モードを選択することができる事から、調整モードの選択を短時間で選択することができ、効率的な調整作業が行える。
【００１６】
本発明の請求項２のリモコン装置によれば、請求項１記載のリモコン装置において、複数ある調整モードから一つの調整モードを選択した状態で所定時間、前記調整レバーからの信号が無い場合、次の調整モードへと自動的に切り換えるように構成したものであるから、調整モードの選択時に、調整レバーからの信号が無いと、次の調整モードが自動的に切り換わるから、選択時の操作回数を削減でき、より効率的な調整作業が行える。
【００１７】
本発明の請求項３のリモコン装置によれば、請求項１又は２記載のリモコン装置において、前記制御プログラムを記憶した外部記憶装置を備え、この外部記憶装置が調整対象の機種又はメーカーに応じて変更可能であるから、機種やメーカーが異なる電子機器の調整が一台リモコン装置で可能となる。
【００１８】
本発明の請求項４のリモコン装置によれば、請求項３記載のリモコン装置において、調整対象の機種又はメーカーに応じた制御プログラムを記憶した前記外部記憶装置を複数、前記リモコン装置に組み込むとともに、これら外部記憶装置を切換手段によって調整対象の機種又はメーカーに対応させて切り換える切換手段を設けたことによって、切換手段により機種やメーカーに応じた制御プログラムに簡単に切り換えることができる。
【発明を実施するための最良の形態】
【００１９】
以下、添付図面を参酌しながら、本発明を実施するための最良の形態としての実施例を説明する。
【実施例１】
【００２０】
図１〜図７は本発明のリモコン装置の実施例１を示し、本実施例においては、テレビジョン受像機を調整するリモコン装置に適用した場合を示しており、図２の斜視図で示すように、リモコン装置１のボックス型のケーシング２には前記電子機器の各種調整をキー操作によって実行するためのキー入力手段として２つの通常モードキー３Ａ，３Ｂと、予め設定された複数の調整モードに割り当てられた４つの特定モードキー４Ａ〜４Ｄが設けられているとともに、上下左右の四方向に可倒可能なジョイスティック型の調整レバー５が設けられている。通常モードキー３Ａは複数ある調整モードのうち一つの調整モードを設定するものであり、本実施例では、１０項目の調整モードを有しており、その各調整モードが１〜１０までの番号に割り当てられている。調整モードの具体例として、本実施例では、１として「水平位置調整」、２として「垂直位置調整」、３として「垂直幅調整」、４として「色相調整」、５として「カラーレベル調整」、６として「Ｒレベル調整」、７として「Ｇレベル調整」、８として「Ｂレベル調整」、９として「解像度調整」、１０として「明るさ調整」が割り当てられている。そして、前記調整レバー５を上方向に倒すと１、２、３と昇順して調整モードが切り換わり、逆に下方向に倒すと１０、９、８と降順して調整モードが切り換わるようになっている。また、通常モードキー３Ｂは、１として「初期設定モード」、２として「出荷状態移行モード」の２項目のモードが割り当てられている。特定モードキー４Ａ〜４Ｄは、特定の調整モードに割り当てられており、例えば特定モードキー４Ａは「色相調整」、特定モードキー４Ｂは「カラーレベル調整」、特定モードキー４Ｃは「解像度調整」、特定モードキー４Ｄは「明るさ調整」などのように比較的使用頻度の高い調整モードに割り当てられている。また、前記調整レバー５は、左右方向に操作することによって選択したモードの調整値を可変することが可能であり、右方向に倒すと調整値が増加し、左方向に倒すと調整値が減少する。
【００２１】
図１は、リモコン装置１のブロック図を示し、信号を生成する制御部たるメインＩＣ１０及び信号を送信する送信部１１とを有し、送信部１１は例えば赤外光に変換して発光するＬＥＤ（発光ダイオード）１５及び信号に応じてこのＬＥＤ１５を駆動する抵抗１６，トランジスタ１７とから構成されている。メインＩＣ１０は、各モードキー３Ａ，３Ｂ，４Ａ〜４Ｄ及び調整レバー５が接続され、メインＩＣ１０によって各モードキー３Ａ，３Ｂ，４Ａ〜４Ｄ及び調整レバー５の何れが操作されたかが判断される。また、このメインＩＣ１０には、外部記憶手段としてのメモリーＩＣ１２が接続され、このメインＩＣ１０からの信号が、前記トランジスタ１７のベースに出力されるようになっている。メモリーＩＣ１２は、各調整モードにおける制御プログラム、すなわち、調整対象となる電子製品の機種に対応してメーカーを区別するために割り当てたコード、各キーに割り当てられたコード、指定時間内に何回送信するかを決定する送信コードが書き込まれている。また、メモリーＩＣ１２は前記ケーシング２の外部に露出した回路基板１８に実装され、機種に応じた制御プログラムが記憶されたメモリーＩＣ１２を外部から簡単に着脱できるようになっている。なお、このように、メモリーＩＣ１２を機種に応じて交換する以外にも電子製品の機種に応じた制御プログラムを書き換えることによって機種に応じた制御プログラムに変更することも可能である。
【００２２】
次に前記リモコン装置１を用いた調整手順を図７のフローチャートを参照しながら説明する。先ず、現在の調整モードを判別し（ステップＳ１）、調整すべき調整モードを選択する。例えば、図３に示すように５番のカラーレベルの調整モードが選択されている状態で１０番の明るさの調整モードを選択する場合、調整レバー５を上方向に操作し、「明るさ調整」の項目となるように順次切り換えるか若しくは明るさ調整モードに割り当てられた特定モードキー４Ｄを操作して直接、明るさ調整モードに切り換える（ステップＳ２、Ｓ３）。こうして明るさ調整モードに切り換えた後、現在の調整値が基準内であるかを判別し（ステップＳ４）、調整が必要の場合、調整レバー５を左右方向に操作して調整値が基準内となるように調整する（ステップＳ５）。この時、図４に示すように、調整レバー５を右方向に操作すると、調整値が増加し、逆に左方向に操作すると、調整値が減少するようになっている。こうして、テレビジョン受像機における画面の明るさの調整作業が終了した後、次の調整モードへと移行するか判断し（ステップＳ６）、次の調整モードが存在せず（ステップＳ７）、出荷状態とするのであれば通常モードキー３Ｂと調整レバー５にて「出荷状態移行モード」へと切り換えて終了（ステップＳ８）する。次の調整モードがあれば、調整レバー５を上下方向に操作し、次の調整モードを選択する。すなわち、１０番の明るさの調整モードを選択した状態から調整レバー５を上方向に操作すると、図５（ａ）で示すように、昇順して最初の１番の水平位置調整モードに戻り、更に調整レバー５を上方向に操作すると、図６で示すように、２番の垂直位置調整モードとなる。一方、調整レバー５を下方向に操作すると、図５（ｂ）で示すように、降順して９番の解像度の調整モードとなる。このようにして調整レバー５を上下方向に操作して次の調整モードを選択する（ステップＳ９）。また、次の調整モードが「色相調整」「カラーレベル調整」「解像度調整」であれば特定モードキー４Ａ〜４Ｃの何れかを操作して直接的に切り換えることも可能である。こうして次の調整モードに切り換えた後は、ステップＳ４へと戻り、その調整値が基準内であるかを判別し、調整が必要の場合、調整レバー５を左右方向に操作して調整値が基準内となるように調整する。こうして、必要な調整作業が終了した後、ステップＳ７、Ｓ８へと進み、出荷状態を選択して一連の調整作業を終了する。また、調整前の初期値に戻すのであれば、通常モードキー３Ｂと調整レバー５とを操作し、１番の「初期設定モード」を選択することもできる。
【００２３】
以上のように、本実施例の調整用リモコン１によれば、上下左右方向に可倒するジョイスティック型の調整レバー５を用い、これを上下方向に操作することによって、複数ある調整モードを先端する際、順次調整モードが切り換わり、調整すべき調整モードを簡単に選択することができるとともに、左右方向に操作することで選択した調整モードの調整値を簡単に調整することができる。このように、ジョイスティック型の調整レバー５に切り換え及び調整機能を持たせることによって、多種多様な調整を行うことができるとともに、比較的、使用頻度の高い調整モードを特定モードキー４Ａ〜４Ｄに登録することにより、その調整モードに瞬時に切り換えることができ、調整作業の効率化を図ることができる。また、調整対象の電子機器に応じた制御プログラムを記憶したメモリーＩＣ１２は、ケーシング２の外部に露出するように回路基板１８に対して着脱自在に実装され、異なる機種あるいは異なるメーカーに応じた制御プログラムを対象の電子機器に合わせて実装又は制御プログラムを書き換えることで容易に変更することができる。これにより、テレビジョン受像機の調整以外、ＤＶＤ、ＶＣＲの調整あるいはオーディオ機器などの音響機器の音質などの各種電子製品を調整できるとともに、異なるメーカーの機種にも対応することが可能であり汎用性にも優れる。
【実施例２】
【００２４】
図８は本発明の実施例２を示しており、前記実施例１と同一機能を有する部分には同一符号を付し、重複する部分の説明を省略し、異なる部分についてのみ説明する。本実施例においては、対象となる電子製品に応じた４種類のメモリーＩＣ２０Ａ〜２０Ｄを備えるとともに、これらメモリーＩＣ２０Ａ〜２０Ｄの切換手段たる切換スイッチ２１を備えている。また、本実施例においては、２つの特定モードキー４Ａ，４Ｂの備え、この特定モードキー４Ａ，４Ｂに特定の調整モードを割り当てている。
【００２５】
以上のように構成される本実施例においては、対象となる電子製品に応じた制御プログラムを記憶した４種類のメモリーＩＣ２０Ａ〜２０Ｄを実装し、切換スイッチ２１により、メモリーＩＣ２０Ａ〜２０Ｄの何れかを選択する。これにより、１台の調整用リモコン１によって、４種類の電子機器の調整が可能であるとともに、切換スイッチ２１によって簡単かつ迅速に対象となる電子製品に応じた制御プログラムに基づいて調整作業を行うことができる。したがって、前記実施例１のように調整対象の電子製品に応じてメモリーＩＣ１２を交換したりあるいは新たに制御プログラムを書き直すといった手間も掛からず簡単に次の機種又はメーカーの電子製品の調整作業を行うことができる。
【実施例３】
【００２６】
図９は本発明の実施例３を示しており、前記各実施例と同一機能を有する部分には同一符号を付し、重複する部分の説明を省略し、異なる部分についてのみ説明する。前記実施例においては、調整レバー５を上下方向に可倒して調整モードを選択した例を示したが、本実施例においては、調整レバー５を上下方向に可倒して調整モードを選択することができるばかりでなく、調整レバー５の信号が所定時間無い場合、自動的に次の調整モードに移行するようにプログラムされている。このように構成されている本実施例においては、図９のフローチャートで示すように、例えば５番のカラーレベルの調整モードが選択されている状態で１０番の明るさの調整モードを選択する場合、調整レバー５を上方向に操作し、「明るさ調整」の項目となるように順次切り換えるか若しくは明るさ調整モードに割り当てられた特定モードキー４Ｄを操作して直接、明るさ調整モードに切り換える（ステップＳ１１、Ｓ１２、Ｓ１３）。こうして明るさ調整モードに切り換えた後、調整が必要の場合、調整レバー５を左右方向に操作して調整値が基準内となるように調整する（ステップＳ１４、Ｓ１５）。この後、次の調整モードへと移行するか（ステップＳ１６）、調整完了し出荷状態とするか判断して（ステップＳ１７）、出荷状態とするのであれば通常モードキー３Ｂと調整レバー５にて「出荷状態移行モード」へと切り換える（ステップＳ１８）。次の調整モードに移行する場合、所定時間、例えば１０秒、調整レバー５からの信号があるかないかを判断し（ステップＳ１９）、１０秒間、調整レバー５からの信号が無い場合、次の調整モードに移行する。すなわち、１番に割り当てた水平位置調整モードへと自動的に移行し、この後、１０秒間、調整レバー５からの信号がない場合、順次、次の調整モードに移行する。調整モードにおいて、１０秒以内で調整レバー５を左右方向に操作すれば、ステップＳ１４に戻り、調整レバー５によって調整値の変更が可能である。また、１０秒以内で調整レバー５を上下方向に操作するか若しくは特定モードキー４Ａ〜４Ｄを操作すれば任意の調整モードに移行できる。
【００２７】
以上のように、本実施例においては、所定時間、調整レバー５からの信号がないと強制的に次の調整モードに移行する。すなわち、通常、テレビジョン受像機においては、必要な調整項目はほぼ同一であるので、例えばリセット機能によって、調整作業を終了した初期の１番の調整モードに移行させ、それ以降の調整作業において、１番の「水平位置調整」から調整作業を開始させれば、調整終了後、所定時間、調整レバー５を操作しなければ、自動的に次の調整項目に移行できるから、操作回数を削減できる。これにより、効率的な調整作業が可能となる。なお、前記実施例では所定時間を１０秒に設定したが、これは任意に時間に設定可能である。
【００２８】
以上、本発明の実施例を詳述したが、本発明は、前記実施例に限定されるものでなく、本発明の要旨の範囲内で種々の変形実施が可能である。例えば、キーの配列や形状、その他の基本的構造は前記実施例に限定されるものではなく、適宜選定すればよい。
【図面の簡単な説明】
【００２９】
【図１】本発明の実施例１を示す調整用リモコン装置のブロックである。
【図２】同上、調整用リモコン装置の斜視図である。
【図３】同上、カラーレベル調整から明るさ調整へと移行した状態を示す説明図である。
【図４】同上、調整値の可変操作を示す説明図である。
【図５】同上、調整モードの切換状態を示す説明図である。
【図６】同上、垂直位置調整モードを示す説明図である。
【図７】同上、調整手順を示すフローチャート図である。
【図８】本発明の実施例２を示す調整用リモコン装置の斜視図である。
【図９】本発明の実施例３を示すフローチャート図である。
【符号の説明】
【００３０】
１  リモコン装置
３Ａ，３Ｂ  通常モードキー
４Ａ〜４Ｄ  特定モードキー
５  調整レバー
１０  メインＩＣ（制御手段）
１１  送信部
１２，２０Ａ，２０Ｂ，２０Ｃ，２０Ｄ  メモリーＩＣ（外部記憶手段）
２１  切換スイッチ（切換手段）
【図１】
2005295005.tif 000003
【図２】
2005295005.tif 000004
【図３】
2005295005.tif 000005
【図４】
2005295005.tif 000006
【図５】
2005295005.tif 000007
【図６】
2005295005.tif 000008
【図７】
2005295005.tif 000009
【図８】
2005295005.tif 000010
【図９】
2005295005.tif 000011